(57)【特許請求の範囲】
【請求項１】
道路や鉄道等軌道の境界に設置される透光性パネルの枠構造であって、
平面状に延びて形成される透光板と、前記透光板より奥行方向で路側となる正面側に取り付けられる押縁と、前記透光板より背面側に背面側支承壁が設けられる支持枠とを備え、
前記押縁は、路側に配置される外側フランジと、前記透光板側に配置される内側フランジとを有し、前記外側フランジの側端に前記支持枠に係止される外側突出部が形成されるとともに、前記内側フランジの側端に前記支持枠に係止される内側突出部が形成されて、
前記支持枠は、前記外側突出部と互いに係止される外側係止部と、前記内側突出部と互いに係止される内側係止部とを有し、
前記内側突出部及び前記内側係止部の何れか一方又は両方は、互いに係止させるときに摺動するものとして、奥行方向で傾斜して延びるテーパ面が形成され、
前記押縁は、前記内側フランジと前記透光板との間隙から、押込治具を挿入し、前記押込治具の先端部で前記内側フランジを奥行方向の正面側に向けて押し込むことにより、前記押縁と前記支持枠との係止状態を解除可能に取り付けられていること
を特徴とする透光性パネルの枠構造。
【請求項２】
道路や鉄道等軌道の境界に設置される透光性パネルの枠構造であって、
平面状に延びて形成される透光板と、前記透光板より奥行方向で路側となる正面側に取り付けられる押縁と、前記透光板より背面側に背面側支承壁が設けられる支持枠とを備え、
前記押縁は、路側に配置される外側フランジと、前記透光板側に配置される内側フランジとを有し、前記外側フランジの側端に前記支持枠に係止される外側突出部が形成されるとともに、前記内側フランジの側端に前記支持枠に係止される内側突出部が形成されて、
前記支持枠は、前記外側突出部と互いに係止される外側係止部と、前記内側突出部と互いに係止される内側係止部とを有し、
前記内側突出部及び前記内側係止部の何れか一方又は両方は、互いに係止させるときに摺動するものとして、奥行方向で傾斜して延びるテーパ面を有した係止爪が形成され、
前記外側突出部は、係止されている際に前記外側係止部と当接する奥行き方向に延びる当接面を有し、前記外側突出部と前記外側係止部は、いずれか一方に形成された前記当接面から他方へ突出する断面円弧状に湾曲した突出部が、他方に形成された当該突出部の湾曲した形状に応じた形状の凹溝に内包されていることで互いに係止されていること
を特徴とする透光性パネルの枠構造。
【請求項３】
前記内側突出部及び前記内側係止部は、互いに係止させた後に面状に当接するものとして、奥行方向で傾斜することなく延びる係合面が形成されること
を特徴とする請求項１又は２に記載の透光性パネルの枠構造。
【請求項４】
前記押縁は、前記外側フランジと前記内側フランジとが奥行方向で互いに離間することで、前記透光板側から前記内側フランジを奥行方向に変形させるものとして、前記内側係止部及び前記外側係止部に向けて開口する開口部が形成されること
を特徴とする請求項１〜３の何れか１項に記載の透光性パネルの枠構造。
【請求項５】
前記押縁は複数の前記支持枠のうち、少なくとも一つ以上の支持枠に対して透光板を保持することを特徴とする請求項１〜４のいずれか１項に記載の透光性パネルの枠構造。
【請求項６】
前記押縁は、前記透光板側に傾斜する前記内側フランジの傾斜部が、前記内側フランジ
に形成されて、内側係止部が前記傾斜部よりも外側で前記支持枠に係止されていること
を特徴とする請求項１〜５の何れか１項に記載の透光性パネルの枠構造。
【請求項７】
前記透光板は、前記背面側支承壁との間に緩衝材が設けられるとともに、前記押縁との間で前記透光板に接着させてシール材が設けられること
を特徴とする請求項１〜６の何れか１項に記載の透光性パネルの枠構造。
【発明の詳細な説明】
【技術分野】
【０００１】
本発明は、道路や鉄道等の軌道の境界に設置される透光性パネルの枠構造に関する。
【背景技術】
【０００２】
従来から、押縁を固定するビスにせん断力を作用させないことを目的として、特許文献１に開示される透光性遮音パネルが提案されており、また、落下物防止柵と同程度の落下防止機能を備えること等を目的として、特許文献２、３に開示される透光性遮音壁が提案されている。
【０００３】
特許文献１に開示された透光性遮音パネルは、透光材支持枠の枠内側面には、押縁用係止溝を備え枠内側に突出する係止溝壁と押縁支承受部が突出するように設けられ、押縁は、透光材に平行に配置されたビスにより透光材支持枠にねじ込まれて固定され、押縁は、基端側底部と荷重受用面板と、外側面板と、接続板を備え、荷重受用面板に係止用凸部が設けられ、基端側底部に凹部が設けられ、接続板と基端側底部には、ビス挿通孔が設けられ、押縁における係止用凸部が、透光材支持枠側の押縁用係止溝に係止されていると共に、押縁における外側面板が、透光材支持枠側の押縁支承受部に面接触している。
【０００４】
特許文献２に開示された透光性遮音壁は、合成樹脂製の透光板と、左右の縦辺に配置した縦枠材、及び上下の横辺に配置した横枠材、並びに透光板を縦枠材、横枠材へ固定した押縁とで透光型遮音パネルが構成され、透光板の各周辺部は縦枠材及び横枠材に必要十分に深い挟み代で固定・支持されている。縦枠材は、支柱の前面へ当てがわれる基板部と、基板部の内側縁部から背面方向へ略直角に屈曲された側辺部とからなり、基板部の前面側に、透光板の縦辺を挿入でき、押縁の透光板押さえ側端部を止める受け溝部、及び押縁の他端を止める支持溝部が形成されている。遮音パネルは、前記縦枠材の基板部を貫通させたボルトにより前記支柱の前面部へ固定されている。
【０００５】
特許文献３に開示された透光性遮音壁は、透光板と、該透光板の左右の縦辺に配置した縦枠材と、上下の横辺に配置した横枠材、及び透光板を縦枠材、横枠材へ固定する押縁とで構成されている。縦枠材は、中空の角形支柱の前面へ当接される基板部と、前記基板部の一端から直角に屈曲され、前記角形支柱の側面に沿って延びる側辺部とからなる。前記基盤部には、前記押縁の一端を止める段部、及び押縁の他端を止める溝部が形成されている。遮音パネルは、前記縦枠材の基板部を貫通させたボルトにより前記中空の角形支柱へ取付けられている。
【先行技術文献】
【特許文献】
【０００６】
【特許文献１】特開２０１２−２１５０１７号公報
【特許文献２】特開２００３−３２８３２５号公報
【特許文献３】特開２００２−１４６７２４号公報
【発明の概要】
【発明が解決しようとする課題】
【０００７】
しかし、特許文献１に開示された透光性遮音パネルは、透光材支持枠に押縁を固定するためにビスを必要とするものであるため、透光材を押縁で固定して透光材支持枠に取り付けるときの押縁の組付作業時に、多数のビスの締込作業が必要となることで、透光性遮音パネルの製造効率が低下するおそれがあった。
【０００８】
また、特許文献１に開示された透光性遮音パネルは、破損した透光材を交換するときの押縁の交換作業時にも、多数のビスの取外作業と締込作業とが必要となるため、高速道路等の道路境界に設置されて透光材が部分的に破損した場合に、破損した透光材のみの交換作業を容易に実施することができず、高速道路等の長時間の通行規制が必要となるおそれがあった。
【０００９】
特許文献２、３に開示された透光性遮音壁は、縦枠材の受け溝部に当接した押縁の透光板押さえ側端部と、縦枠材の支持溝部に挿入した押縁の他端とで、縦枠材を挟み込むことにより押縁が固定されるため、押縁の透光板押さえ側端部を中途半端に取り付けても、一見すると押縁が正確に取り付けられているように見えるものとなり、押縁の組付精度が低下するおそれがあった。
【００１０】
また、特許文献２、３に開示された透光性遮音壁は、押縁が中途半端に取り付けられた状態で、高速道路等の道路境界に設置されると、車両等が通行するときの振動、落下した積荷の衝突、風等の透光板に対する外力により、押縁が脱落して透光板が外れるおそれも考えられる。
【００１１】
そこで、本発明は、上述した問題点に鑑みて案出されたものであり、その目的とするところは、押縁の組付精度を十分に確保しながら、車両等が通行するときの振動、落下した積荷の衝突、風等の透光板に対する外力により、押縁が脱落して透光板が外れるおそれもなく、ビスの締込作業及び取外作業を必要としないものとして、製造効率及び交換容易性を向上させることのできる透光性パネルの枠構造を提供することにある。
【課題を解決するための手段】
【００１２】
第１発明に係る透光性パネルの枠構造は、道路や鉄道等軌道の境界に設置される透光性パネルの枠構造であって、平面状に延びて形成される透光板と、前記透光板より奥行方向で路側となる正面側に取り付けられる押縁と、前記透光板より背面側に背面側支承壁が設けられる支持枠とを備え、前記押縁は、路側に配置される外側フランジと、前記透光板側に配置される内側フランジとを有し、前記外側フランジの側端に前記支持枠に係止される外側突出部が形成されるとともに、前記内側フランジの側端に前記支持枠に係止される内側突出部が形成されて、前記支持枠は、前記外側突出部と互いに係止される外側係止部と、前記内側突出部と互いに係止される内側係止部とを有し、前記内側突出部及び前記内側係止部の何れか一方又は両方は、互いに係止させるときに摺動するものとして、奥行方向で傾斜して延びるテーパ面が形成され、前記押縁は、前記内側フランジと前記透光板との間隙から、押込治具を挿入し、前記押込治具の先端部で前記内側フランジを奥行方向の正面側に向けて押し込むことにより、前記押縁と前記支持枠との係止状態を解除可能に取り付けられていることを特徴とする。
第２発明に係る透光性パネルの枠構造は、道路や鉄道等軌道の境界に設置される透光性パネルの枠構造であって、平面状に延びて形成される透光板と、前記透光板より奥行方向で路側となる正面側に取り付けられる押縁と、前記透光板より背面側に背面側支承壁が設けられる支持枠とを備え、前記押縁は、路側に配置される外側フランジと、前記透光板側に配置される内側フランジとを有し、前記外側フランジの側端に前記支持枠に係止される外側突出部が形成されるとともに、前記内側フランジの側端に前記支持枠に係止される内側突出部が形成されて、前記支持枠は、前記外側突出部と互いに係止される外側係止部と、前記内側突出部と互いに係止される内側係止部とを有し、前記内側突出部及び前記内側係止部の何れか一方又は両方は、互いに係止させるときに摺動するものとして、奥行方向で傾斜して延びるテーパ面を有した係止爪が形成され、前記外側突出部は、係止されている際に前記外側係止部と当接する奥行き方向に延びる当接面を有し、前記外側突出部と前記外側係止部は、いずれか一方に形成された前記当接面から他方へ突出する断面円弧状に湾曲した突出部が、他方に形成された当該突出部の湾曲した形状に応じた形状の凹溝に内包されていることで互いに係止されていることを特徴とする。
【００１３】
第３発明に係る透光性パネルの枠構造は、第１発明又は第２発明において、前記内側突出部及び前記内側係止部は、互いに係止させた後に面状に当接するものとして、奥行方向で傾斜することなく延びる係合面が形成されることを特徴とする。
【００１４】
第４発明に係る透光性パネルの枠構造は、第１発明〜第３発明の何れかにおいて、前記押縁は、前記外側フランジと前記内側フランジとが奥行方向で互いに離間することで、前記透光板側から前記内側フランジを奥行方向に変形させるものとして、前記内側係止部及び前記外側係止部に向けて開口する開口部が形成されることを特徴とする。
第５発明に係る透光性パネルの枠構造は、第１発明〜第４発明の何れかにおいて、前記押縁は複数の前記支持枠のうち、少なくとも一つ以上の支持枠に対して透光板を保持することを特徴とする。
【００１５】
第６発明に係る透光性パネルの枠構造は、第１発明〜第５発明の何れかにおいて、前記押縁は、前記透光板側に傾斜する前記内側フランジの傾斜部が、前記内側フランジに形成されて、内側係止部が前記傾斜部よりも外側で前記支持枠に係止されていることを特徴とする。
【００１６】
第７発明に係る透光性パネルの枠構造は、第１発明〜第６発明の何れかにおいて、前記透光板は、前記背面側支承壁との間に緩衝材が設けられるとともに、前記押縁との間で前記透光板に接着させてシール材が設けられることを特徴とする。
【発明の効果】
【００１７】
第１発明〜第７発明によれば、外側突出部と外側係止部とを互いに係止させるとともに、内側突出部と内側係止部とを互いに係止させるため、押縁を固定するためのビスを用いることなく、押縁を支持枠に取り付けることができるものとなり、押縁の組付作業時に、多数のビスの締込作業を必要としないものとして、透光性パネルの製造効率を向上させることが可能となる。
【００１８】
第１発明〜第７発明によれば、特に、押縁の内側フランジで、内側突出部と内側係止部とがテーパ面と係合面とで容易かつ正確に係止されて、落下した積荷の衝突、風等の外力又は施工、運搬時の衝撃力等の押圧力により容易に離脱しないものとしながら、人為的な作業によってのみ押縁を容易に取り外すことができるものとして、透光板の交換容易性を向上させることができるため、支持枠からの押縁の脱落を防止して、透光性パネルが境界に設置された高速道路等の通行の安全性を向上させると同時に、透光板が部分的に破損した場合には、透光板の交換作業を容易に実施して、高速道路等の長時間の通行規制を回避することが可能となる。
【００１９】
第１発明〜第７発明によれば、押縁が支持枠に正確に取り付けられるため、押縁を中途半端に取り付けられないものとなることで、高速道路等の道路や鉄道等軌道の境界に透光性パネルを設置して、車両等が通行するときの振動、又は、落下した積荷の衝突、風等の外力が作用したとしても、支持枠から押縁が脱落しないものとなり、透光板の外れを防止することが可能となる。
【００２０】
特に、第３発明によれば、内側突出部と内側係止部とが係合面で互いに係止されて、押縁が支持枠に正確に取り付けられるものとなるため、押縁を中途半端に取り付けることができないものとなり、押縁の組付精度を向上させることが可能となる。
【００２１】
特に、第４発明によれば、奥行方向の透光板側から内側フランジを奥行方向に弾性変形又は塑性変形させるものとして、内側係止部及び外側係止部に向けて開口する開口部が形成されるため、押縁を支持枠から容易に取り外すことができないものとすると同時に、押込治具で人為的に内側フランジを破壊等することにより、ビスの取外作業を必要とすることなく、押縁を支持枠から人為的な作業で容易に取り外すことが可能となる。
【００２２】
特に、第６発明によれば、押縁の内側フランジに傾斜部が形成されることで、押込治具で内側フランジを正面側に押し込みやすくして、押込治具で内側フランジを容易に破壊等させることができるものとなり、人為的な作業による透光板の交換容易性を一段と向上させることが可能となる。
【００２３】
特に、第７発明によれば、透光板と内側フランジとにシール材が接着されるため、万が一、内側突出部と内側係止部との係止が解除された場合であっても、押縁が脱落しないものとなり、透光板の外れを防止することが可能となる。
【図面の簡単な説明】
【００２４】
【図１】本発明を適用した透光性パネルを使用した透光性遮音壁の全体斜視図である。
【図２】本発明を適用した透光性パネルの枠構造が導入される透光性パネルを示す斜視図である。
【図３】本発明を適用した透光性パネルの枠構造が導入される透光性パネルを示す正面図である。
【図４】本発明を適用した透光性パネルの枠構造が導入される透光性パネルを示す平面図である。
【図５】本発明を適用した透光性パネルの枠構造の押縁を示す斜視図である。
【図６】本発明を適用した透光性パネルの枠構造を示す平面図である。
【図７】本発明を適用した透光性パネルの枠構造の第１実施形態に係る押縁を示す拡大平面図である。
【図８】本発明を適用した透光性パネルの枠構造の第２実施形態に係る押縁を示す拡大平面図である。
【図９】本発明を適用した透光性パネルの枠構造の第３実施形態に係る押縁を示す拡大平面図である。
【図１０】本発明を適用した透光性パネルの枠構造の第３実施形態に係る押縁の変形例を示す拡大平面図である。
【図１１】本発明を適用した透光性パネルの枠構造の第４実施形態に係る押縁を示す拡大平面図である。
【図１２】本発明を適用した透光性パネルの枠構造で押縁を取り付ける状態を示す平面図である。
【図１３】（ａ）は、本発明に係る透光性パネルの枠構造の第１実施形態〜第３実施形態に係る押縁が外側突出部で回転する状態を示す拡大平面図であり、（ｂ）は、その第４実施形態に係る押縁が外側突出部で回転する状態を示す拡大平面図である。
【図１４】（ａ）は、本発明に係る透光性パネルの枠構造の第１実施形態に係るテーパ面が摺動する状態を示す拡大平面図であり、（ｂ）は、その係合面で互いに係止された状態を示す拡大平面図である。
【図１５】（ａ）は、本発明に係る透光性パネルの枠構造の第２実施形態に係るテーパ面が摺動する状態を示す拡大平面図であり、（ｂ）は、その係合面で互いに係止された状態を示す拡大平面図である。
【図１６】（ａ）は、本発明に係る透光性パネルの枠構造の第３実施形態、第４実施形態に係るテーパ面が摺動する状態を示す拡大平面図であり、（ｂ）は、その係合面で互いに係止された状態を示す拡大平面図である。
【図１７】本発明を適用した透光性パネルの枠構造でシール材を切除した状態を示す平面図である。
【図１８】本発明を適用した透光性パネルの枠構造の第１実施形態に係る押縁の内側フランジを破壊等する状態を示す拡大平面図である。
【図１９】本発明を適用した透光性パネルの枠構造の第３実施形態に係る押縁の内側フランジを破壊等する状態を示す拡大平面図である。
【図２０】本発明を適用した透光性パネルの枠構造の第４実施形態に係る押縁の内側フランジを破壊等する状態を示す拡大平面図である。
【図２１】本発明を適用した透光性パネルの枠構造の押込治具を示す斜視図である。
【図２２】本発明を適用した透光性パネルの枠構造の第１実施形態に係る押縁に回転力及び押圧力が作用した状態を示す拡大平面図である。
【図２３】本発明を適用した透光性パネルの枠構造の第２実施形態に係る押縁に回転力及び押圧力が作用した状態を示す拡大平面図である。
【図２４】本発明を適用した透光性パネルの枠構造の第３実施形態に係る押縁に回転力及び押圧力が作用した状態を示す拡大平面図である。
【図２５】本発明を適用した透光性パネルの枠構造の第４実施形態に係る押縁に回転力及び押圧力が作用した状態を示す拡大平面図である。
【発明を実施するための形態】
【００２５】
以下、本発明を適用した透光性パネル８の枠構造１を実施するための形態について、図面を参照しながら詳細に説明する。
【００２６】
本発明を適用した透光性パネル８の枠構造１は、図１に示すように、高速道路等の道路や鉄道等軌道の境界に設置される透光性パネル８に導入される。
【００２７】
透光性パネル８は、高速道路等の道路側又は鉄道等の軌道側において路側となる正面側Ａと、高速道路等の側方の民地側となる背面側Ｂとを、奥行方向Ｚで隔てるようにして、高速道路等の道路や鉄道等軌道の境界に設置される。
【００２８】
透光性パネル８は、Ｈ形鋼等で構成される支柱８１の溝に、その両側部が落とし込まれる。支柱８１は、道路又は鉄道等軌道に沿って間隔を空けて、複数隣り合わせて立設される。透光性パネル８は、必要に応じて、幅方向Ｘ及び高さ方向Ｙに複数並べられて、支柱８１の溝に嵌合配置されることで、複数段に透光性パネル８が積まれて、透光性遮音壁８０が形成されるものとなる。
【００２９】
透光性パネル８は、図２に示すように、幅方向Ｘに延びる上横枠２及び下横枠３が設けられて、透光性パネル８の高さ方向Ｙの上端に上横枠２が配置されるとともに、透光性パネル８の高さ方向Ｙの下端に下横枠３が配置される。
【００３０】
透光性パネル８は、高さ方向Ｙに延びる一対の支持枠４として、左縦枠４１及び右縦枠４２が設けられて、透光性パネル８の幅方向Ｘの左端に左縦枠４１が配置されるとともに、透光性パネル８の幅方向Ｘの右端に右縦枠４２が配置される。
【００３１】
透光性パネル８は、上横枠２と下横枠３とが、高さ方向Ｙで互いに離間して、互いに略平行となるように設けられるとともに、左縦枠４１と右縦枠４２とが、幅方向Ｘで互いに離間して、互いに略平行となるように設けられる。
【００３２】
透光性パネル８は、上横枠２及び下横枠３の幅方向Ｘの両端に、左縦枠４１及び右縦枠４２の各々が取り付けられて、略矩形状等となるように組み立てて形成される。透光性パネル８は、略矩形状等に形成された透光板５の上端、下端、左端及び右端の各々が、上横枠２、下横枠３、左縦枠４１及び右縦枠４２の各々に固定される。
【００３３】
本発明を適用した透光性パネル８の枠構造１は、図３に示すように、幅方向Ｘ及び高さ方向Ｙで平面状に延びて形成される透光板５と、左縦枠４１及び右縦枠４２に透光板５を固定するための押縁６と、透光板５を支持するための支持枠４とを備える。
【００３４】
本発明を適用した透光性パネル８の枠構造１は、図４に示すように、その両側部が支柱８１の溝に嵌合配置されて、支柱８１のフランジと左縦枠４１及び右縦枠４２との間に、バネ鋼等の固定部材（固定金具８２）が設けられることで、支柱８１のフランジに透光性パネル８を密着させて固定して、支柱８１と透光性パネル８との隙間を無くして音漏れを防止するとともに、ガタ防止された状態で透光性パネル８が設置される。
【００３５】
透光板５は、透光性を有する略平板状に形成された板材が用いられて、ポリカーボネート、アクリル又はガラス等を材質とする。透光板５は、例えば、正面側Ａ及び背面側Ｂで単層又は合わせガラス等が用いられて、４ｍｍ〜１５ｍｍ程度の板厚寸法ｔとなる。
【００３６】
押縁６は、例えば、押出成形されるものであり、アルミニウム等を材質とする。押縁６は、奥行方向Ｚで透光板５より正面側Ａに取り付けられて、奥行方向Ｚで透光板５より背面側Ｂに背面側支承壁４３が設けられる支持枠４に、透光板５を固定するものとなる。
【００３７】
押縁６は、図５に示すように、路側に配置されて高さ方向Ｙに延びる外側フランジ６１と、透光板５側に配置されて高さ方向Ｙに延びる内側フランジ６２とを有する。押縁６は、外側フランジ６１と内側フランジ６２とが、押縁６の幅方向Ｘの基端部６ａで互いに連結される。
【００３８】
押縁６は、外側フランジ６１と内側フランジ６２とが、押縁６の幅方向Ｘの中間部６ｂで、高さ方向Ｙに延びるウェブ６３により互いに連結される。押縁６は、外側フランジ６１、内側フランジ６２及びウェブ６３で取り囲まれて、略中空状のボックス部６４が形成される。
【００３９】
押縁６は、奥行方向Ｚで外側フランジ６１に略直交させてウェブ６３が設けられるが、外側フランジ６１と内側フランジ６２とが、奥行方向Ｚで斜めに延びるウェブ６３で連結されてもよい。押縁６は、ウェブ６３が斜めに延びることで、外側フランジ６１と内側フランジ６２との接続部が塑性変形しやすいものとなる。押縁６は、これに限らず、外側フランジ６１と内側フランジ６２とが、押縁６の基端部６ａで互いに連結されるものとしながら、押縁６の中間部６ｂにウェブ６３が設けられないものとして、略中空状のボックス部６４が形成されないものとなってもよい。
【００４０】
押縁６は、押縁６の幅方向Ｘの側端部６ｃで、外側フランジ６１と内側フランジ６２とが、奥行方向Ｚで互いに離間することで、外側フランジ６１と内側フランジ６２との間で、幅方向Ｘの側方に向けて開口する開口部６０が形成されるものとなる。
【００４１】
押縁６は、外側フランジ６１の幅方向Ｘの側端に、外側突出部６５が形成されるとともに、内側フランジ６２の幅方向Ｘの側端に、内側突出部６６が形成される。押縁６は、外側突出部６５及び内側突出部６６の各々が、奥行方向Ｚで開口部６０の両側に配置される。
【００４２】
支持枠４は、図６に示すように、奥行方向Ｚの背面側Ｂで透光板５を支持するための背面側支承壁４３と、透光板５より奥行方向Ｚの正面側Ａで押縁６が取り付けられる係止構造４４とを有して、背面側支承壁４３と押縁６との間に透光板５が挟み込まれるものとなる。
【００４３】
支持枠４は、透光板５より奥行方向Ｚの正面側Ａで押縁６を取り付けるための係止構造４４として、押縁６の外側突出部６５と互いに係止される外側係止部４５と、押縁６の内側突出部６６と互いに係止される内側係止部４６とを有する。
【００４４】
支持枠４は、係止構造４４の外側係止部４５が、押縁６の外側フランジ６１の側端と幅方向Ｘで対応するように配置されるとともに、係止構造４４の内側係止部４６が、押縁６の内側フランジ６２の側端と幅方向Ｘで互いに対応するように配置される。
【００４５】
支持枠４は、押縁６が係止構造４４に取り付けられて、押縁６の内側フランジ６２と背面側支承壁４３とが奥行方向Ｚで互いに離間することで、透光板５の幅方向Ｘの側端が挿入される枠溝部４０が、押縁６の内側フランジ６２と背面側支承壁４３との間に形成される。
【００４６】
透光板５は、支持枠４の背面側支承壁４３との間に緩衝材５１が設けられるとともに、押縁６との間にシール材５２が設けられる。透光板５は、これに限らず、シール材５２の代わりに緩衝材５１が、押縁６との間に設けられてもよい。
【００４７】
緩衝材５１は、例えば、クロロプレンゴム、ＥＰＤＭ等を材質としたガスケット材が用いられる。緩衝材５１は、支持枠４の背面側支承壁４３に形成された溝４３ａに嵌め込まれて、奥行方向Ｚの背面側Ｂから透光板５に当接される。緩衝材５１は、支持枠４の背面側支承壁４３に沿わせて、高さ方向Ｙで連続的又は断続的に延びて設けられる。
【００４８】
シール材５２は、例えば、シリコン等を材質とするコーキング材が用いられる。シール材５２は、押縁６の内側フランジ６２と透光板５とが奥行方向Ｚで互いに離間して形成された間隙Ｓに充填されて、奥行方向Ｚの正面側Ａから透光板５に接着される。シール材５２は、押縁６の内側フランジ６２に沿わせて、高さ方向Ｙで連続的又は断続的に間隙Ｓに充填される。
【００４９】
本発明を適用した透光性パネル８の枠構造１は、奥行方向Ｚに移動しないように透光板５を固定するものとなり、透光板５の幅方向Ｘの側端が、支持枠４の背面側支承壁４３と、押縁６の内側フランジ６２とに挟み込まれて、枠溝部４０に透光板５が挿入された状態となる。
【００５０】
本発明を適用した透光性パネル８の枠構造１は、第１実施形態において、図７に示すように、押縁６の外側フランジ６１の外側突出部６５が、奥行方向Ｚの正面側Ａに向けて湾曲させて形成されるとともに、押縁６の内側フランジ６２の内側突出部６６に、奥行方向Ｚの背面側Ｂに向けて突出させて、突出爪６６ａが形成されるものとなる。
【００５１】
このとき、支持枠４の係止構造４４は、押縁６の外側突出部６５の湾曲した形状に合わせて、押縁６の外側突出部６５を奥行方向Ｚに係止させる係止溝４５ａが、外側係止部４５に形成される。外側係止部４５は、係止溝４５ａの正面側Ａに第１突起４４ａが設けられるとともに、係止溝４５ａの背面側Ｂに第２突起４４ｂが設けられる。
【００５２】
また、支持枠４の係止構造４４は、奥行方向Ｚの正面側Ａに向けて突出する係止爪４６ａが、押縁６の突出爪６６ａに背面側Ｂから係止されるものとして、内側係止部４６に形成される。内側係止部４６は、正面側Ａに向けて突出する係止爪４６ａと、背面側Ｂに向けて突出する突出爪６６ａとが、幅方向Ｘで互いに係止されるものとなり、係止爪４６ａの背面側Ｂに第３突起４４ｃが設けられる。
【００５３】
内側突出部６６及び内側係止部４６は、互いに係止させるときに摺動するものとして、奥行方向Ｚで傾斜させて延びるテーパ面５５が、突出爪６６ａ及び係止爪４６ａの何れか一方又は両方の外側に形成される。また、内側突出部６６及び内側係止部４６は、互いに係止させた後に面状に当接するものとして、奥行方向Ｚで傾斜することなく略直線状に延びる係合面５６が、突出爪６６ａ及び係止爪４６ａの何れか一方又は両方の内側に形成される。
【００５４】
テーパ面５５は、内側突出部６６の突出爪６６ａにおいて、奥行方向Ｚで背面側Ｂより正面側Ａが、幅方向Ｘで支持枠４側に突出するものとなるように、奥行方向Ｚで傾斜させて延びるものとなり、また、内側係止部４６の係止爪４６ａにおいて、奥行方向Ｚで正面側Ａより背面側Ｂが、幅方向Ｘで押縁６側に突出するものとなるように、奥行方向Ｚで傾斜させて延びるものとなる。
【００５５】
押縁６は、外側フランジ６１と内側フランジ６２とが、押縁６の幅方向Ｘの中間部６ｂより側端部６ｃで、奥行方向Ｚに離間したものとなるように、内側フランジ６２に傾斜部６２ａが形成される。傾斜部６２ａは、幅方向Ｘで内側フランジ６２の側端に向けて略直線状に、奥行方向Ｚで透光板５側に傾斜して形成される。
【００５６】
本発明を適用した透光性パネル８の枠構造１は、第２実施形態において、図８に示すように、押縁６の外側フランジ６１の外側突出部６５が、奥行方向Ｚの正面側Ａに向けて湾曲させて形成されるとともに、押縁６の内側フランジ６２の内側突出部６６に、奥行方向Ｚの正面側Ａに向けて突出させて、突出爪６６ａが形成されるものとなる。
【００５７】
このとき、支持枠４の係止構造４４は、押縁６の外側突出部６５の湾曲した形状に合わせて、押縁６の外側突出部６５を奥行方向Ｚに係止させる係止溝４５ａが、外側係止部４５に形成される。外側係止部４５は、係止溝４５ａの正面側Ａに第１突起４４ａが設けられるとともに、係止溝４５ａの背面側Ｂに第２突起４４ｂが設けられる。
【００５８】
また、支持枠４の係止構造４４は、奥行方向Ｚの背面側Ｂに向けて突出する係止爪４６ａが、押縁６の突出爪６６ａに正面側Ａから係止されるものとして、内側係止部４６に形成される。内側係止部４６は、背面側Ｂに向けて突出する係止爪４６ａと、正面側Ａに向けて突出する突出爪６６ａとが、幅方向Ｘで互いに係止されるものとなり、係止爪４６ａの正面側Ａで第２突起４４ｂに連続して第４突起４４ｄが設けられるとともに、係止爪４６ａの背面側Ｂに第３突起４４ｃが設けられる。
【００５９】
内側突出部６６及び内側係止部４６は、互いに係止させるときに摺動するものとして、奥行方向Ｚで傾斜させて延びるテーパ面５５が、突出爪６６ａ及び係止爪４６ａの何れか一方又は両方の外側に形成される。また、内側突出部６６及び内側係止部４６は、互いに係止させた後に面状に当接するものとして、奥行方向Ｚで傾斜することなく略直線状に延びる係合面５６が、突出爪６６ａ及び係止爪４６ａの何れか一方又は両方の内側に形成される。
【００６０】
テーパ面５５は、内側突出部６６の突出爪６６ａにおいて、幅方向Ｘで支持枠４側より押縁６側が、奥行方向Ｚで正面側Ａに突出するものとなるように、奥行方向Ｚで傾斜させて延びるものとなり、また、内側係止部４６の係止爪４６ａにおいて、幅方向Ｘで押縁６側より支持枠４側が、奥行方向Ｚで背面側Ｂに突出するものとなるように、奥行方向Ｚで傾斜させて延びるものとなる。
【００６１】
本発明を適用した透光性パネル８の枠構造１は、第３実施形態において、図９に示すように、押縁６の外側フランジ６１の外側突出部６５が、奥行方向Ｚの正面側Ａに向けて湾曲させて形成されるとともに、押縁６の内側フランジ６２の内側突出部６６に、奥行方向Ｚの正面側Ａに向けて突出させて、突出爪６６ａが形成されるものとなる。
【００６２】
このとき、支持枠４の係止構造４４は、押縁６の外側突出部６５の湾曲した形状に合わせて、押縁６の外側突出部６５を奥行方向Ｚに係止させる係止溝４５ａが、外側係止部４５に形成される。外側係止部４５は、係止溝４５ａの正面側Ａに第１突起４４ａが設けられるとともに、係止溝４５ａの背面側Ｂに第２突起４４ｂが設けられる。
【００６３】
また、支持枠４の係止構造４４は、奥行方向Ｚの背面側Ｂに向けて突出する係止爪４６ａが、押縁６の突出爪６６ａに正面側Ａから係止されるものとして、内側係止部４６に形成される。内側係止部４６は、背面側Ｂに向けて突出する係止爪４６ａと、正面側Ａに向けて突出する突出爪６６ａとが、幅方向Ｘで互いに係止されるものとなり、係止爪４６ａの正面側Ａで第２突起４４ｂと離間して第４突起４４ｄが設けられる。
【００６４】
内側突出部６６及び内側係止部４６は、互いに係止させるときに摺動するものとして、奥行方向Ｚで傾斜させて延びるテーパ面５５が、突出爪６６ａ及び係止爪４６ａの何れか一方又は両方の外側に形成される。また、内側突出部６６及び内側係止部４６は、互いに係止させた後に面状に当接するものとして、奥行方向Ｚで傾斜することなく略直線状に延びる係合面５６が、突出爪６６ａ及び係止爪４６ａの何れか一方又は両方の内側に形成される。
【００６５】
テーパ面５５は、内側突出部６６の突出爪６６ａにおいて、幅方向Ｘで支持枠４側より押縁６側が、奥行方向Ｚで正面側Ａに突出するものとなるように、奥行方向Ｚで傾斜させて延びるものとなり、また、内側係止部４６の係止爪４６ａにおいて、幅方向Ｘで押縁６側より支持枠４側が、奥行方向Ｚで背面側Ｂに突出するものとなるように、奥行方向Ｚで傾斜させて延びるものとなる。
【００６６】
なお、本発明を適用した透光性パネル８の枠構造１は、第３実施形態において、図１０に示すように、支持枠４の外側係止部４５が、奥行方向Ｚの正面側Ａに向けて湾曲させて形成されるとともに、支持枠４の外側係止部４５の湾曲した形状に合わせて、支持枠４の外側係止部４５を奥行方向Ｚに係止させる係止溝４５ａが、押縁６の外側突出部６５に形成されてもよい。
【００６７】
本発明を適用した透光性パネル８の枠構造１は、第４実施形態において、図１１に示すように、押縁６の外側フランジ６１の外側突出部６５に、奥行方向Ｚの背面側Ｂに向けて湾曲して突出させた回転爪６５ａが形成されるとともに、押縁６の内側フランジ６２の内側突出部６６に、奥行方向Ｚの正面側Ａに向けて突出させて、突出爪６６ａが形成されるものとなる。
【００６８】
このとき、支持枠４の係止構造４４は、奥行方向Ｚの背面側Ｂに窪ませた係止溝４５ａが、押縁６の回転爪６５ａを正面側Ａから係止させるものとして、外側係止部４５に形成される。外側係止部４５は、背面側Ｂに向けて突出する押縁６の回転爪６５ａを、背面側Ｂに窪ませた係止溝４５ａに幅方向Ｘで係止させるものとなり、係止溝４５ａの背面側Ｂに第２突起４４ｂが設けられる。
【００６９】
また、支持枠４の係止構造４４は、奥行方向Ｚの背面側Ｂに向けて突出する係止爪４６ａが、押縁６の突出爪６６ａに正面側Ａから係止されるものとして、内側係止部４６に形成される。内側係止部４６は、背面側Ｂに向けて突出する係止爪４６ａと、正面側Ａに向けて突出する突出爪６６ａとが、幅方向Ｘで互いに係止されるものとなり、係止爪４６ａの正面側Ａで第２突起４４ｂと離間して第４突起４４ｄが設けられる。
【００７０】
内側突出部６６及び内側係止部４６は、互いに係止させるときに摺動するものとして、奥行方向Ｚで傾斜させて延びるテーパ面５５が、突出爪６６ａ及び係止爪４６ａの何れか一方又は両方の外側に形成される。また、内側突出部６６及び内側係止部４６は、互いに係止させた後に面状に当接するものとして、奥行方向Ｚで傾斜することなく略直線状に延びる係合面５６が、突出爪６６ａ及び係止爪４６ａの何れか一方又は両方の内側に形成される。
【００７１】
テーパ面５５は、内側突出部６６の突出爪６６ａにおいて、幅方向Ｘで支持枠４側より押縁６側が、奥行方向Ｚで正面側Ａに突出するものとなるように、奥行方向Ｚで傾斜させて延びるものとなり、また、内側係止部４６の係止爪４６ａにおいて、幅方向Ｘで押縁６側より支持枠４側が、奥行方向Ｚで背面側Ｂに突出するものとなるように、奥行方向Ｚで傾斜させて延びるものとなる。
【００７２】
本発明を適用した透光性パネル８の枠構造１は、透光板５の正面側Ａで、押縁６を支持枠４に取り付けるときに、第１実施形態〜第４実施形態の何れにおいても、図１２に示すように、最初に、支持枠４の溝４３ａに緩衝材５１を嵌め込んで、透光板５を背面側Ｂで緩衝材５１に当接させるとともに、押縁６の外側フランジ６１の外側突出部６５を、支持枠４の外側係止部４５に引っ掛ける。
【００７３】
本発明を適用した透光性パネル８の枠構造１は、次に、押縁６の外側突出部６５を回転軸として、奥行方向Ｚの正面側Ａから背面側Ｂに向けて押縁６を回転させることで、押縁６の内側フランジ６２が奥行方向Ｚで透光板５に接近するとともに、押縁６の内側突出部６６が幅方向Ｘで支持枠４の内側係止部４６に接近する。
【００７４】
このとき、本発明を適用した透光性パネル８の枠構造１は、第１実施形態〜第３実施形態において、図１３（ａ）に示すように、押縁６の湾曲した外側突出部６５が、外側係止部４５の湾曲した係止溝４５ａに挿入されて、湾曲した係止溝４５ａに沿って移動することで、押縁６の外側突出部６５を回転軸として、押縁６が奥行方向Ｚの背面側Ｂに回転するものとなる。
【００７５】
本発明を適用した透光性パネル８の枠構造１は、第４実施形態においても、図１３（ｂ）に示すように、押縁６の外側突出部６５の湾曲させた回転爪６５ａが、外側係止部４５の係止溝４５ａに当接されて回転移動することで、押縁６の外側突出部６５を回転軸として、押縁６が奥行方向Ｚの背面側Ｂに回転するものとなる。
【００７６】
本発明を適用した透光性パネル８の枠構造１は、第１実施形態において、図１４に示すように、押縁６の内側突出部６６が幅方向Ｘで支持枠４の内側係止部４６に接近して、内側突出部６６と内側係止部４６とを互いに係止させるときに、突出爪６６ａのテーパ面５５と係止爪４６ａのテーパ面５５とを互いに対向させて当接させながら、突出爪６６ａのテーパ面５５が正面側Ａに移動する。
【００７７】
このとき、内側突出部６６及び内側係止部４６は、図１４（ａ）に示すように、互いに係止させるときに、テーパ面５５が摺動するものとなり、押縁６の内側フランジ６２が正面側Ａに傾斜して弾性変形することで、図１４（ｂ）に示すように、突出爪６６ａと係止爪４６ａとが幅方向Ｘで互いに係止されて、押縁６が支持枠４に正確に取り付けられるものとなる。
【００７８】
また、内側突出部６６及び内側係止部４６は、互いに係止させた後に面状に当接するものとして、突出爪６６ａ及び係止爪４６ａの内側に係合面５６が形成されるため、押縁６が支持枠４に正確に取り付けられた状態から、押縁６の内側フランジ６２を正面側Ａに傾斜させて弾性変形等させない限り、押縁６を支持枠４から取り外すことができないものとなる。
【００７９】
本発明を適用した透光性パネル８の枠構造１は、第２実施形態〜第４実施形態においても、図１５（ａ）、図１６（ａ）に示すように、内側突出部６６及び内側係止部４６で、テーパ面５５が摺動するため、押縁６の内側フランジ６２が背面側Ｂに傾斜して弾性変形することで、図１５（ｂ）、図１６（ｂ）に示すように、押縁６が支持枠４に正確に取り付けられるとともに、押縁６を支持枠４から容易に取り外すことができないものとなる。
【００８０】
本発明を適用した透光性パネル８の枠構造１は、透光板５の正面側Ａで、押縁６を支持枠４に取り付けた後に、第１実施形態〜第４実施形態の何れにおいても、図６に示すように、最後に、押縁６の内側フランジ６２と透光板５との間隙Ｓにシール材５２を充填することで、押縁６の内側フランジ６２及び透光板５に、透光板５の正面側Ａからシール材５２を接着させる。
【００８１】
本発明を適用した透光性パネル８の枠構造１は、透光板５の正面側Ａで、押縁６を支持枠４から取り外すときに、第１実施形態〜第４実施形態の何れにおいても、図１７に示すように、最初に、透光板５の正面側Ａから、透光板５及び内側フランジ６２に接着したシール材５２を切除して、シール材５２が間隙Ｓに設けられていない状態とする。
【００８２】
本発明を適用した透光性パネル８の枠構造１は、次に、図１８〜図２０に示すように、第１実施形態、第３実施形態及び第４実施形態において、押縁６の内側フランジ６２と透光板５との間隙Ｓから、枠溝部４０に押込治具７を挿入して、押込治具７の先端部７ａで内側フランジ６２を奥行方向Ｚの正面側Ａに向けて押し込むことで、内側フランジ６２が奥行方向Ｚに弾性変形又は塑性変形されるものとなる。
【００８３】
本発明を適用した透光性パネル８の枠構造１は、外側フランジ６１と内側フランジ６２とが、奥行方向Ｚで互いに離間して開口部６０が形成されるものであり、第１実施形態、第３実施形態及び第４実施形態の何れにおいても、奥行方向Ｚの透光板５側から、内側フランジ６２を奥行方向Ｚに弾性変形又は塑性変形させるものとして、内側係止部４６及び外側係止部４５に向けて開口する開口部６０が形成される。
【００８４】
このとき、内側突出部６６及び内側係止部４６は、押縁６が支持枠４に取り付けられた状態から、押縁６の内側フランジ６２が奥行方向Ｚに変形して破壊等されることで、突出爪６６ａと係止爪４６ａとの係止状態が解除されるものとなり、押縁６を支持枠４から容易に取り外すことができるものとなる。
【００８５】
なお、押込治具７は、例えば、図２１に示すように、高さ方向Ｙに延びるステンレスや鋼等を材質とする板材が、奥行方向Ｚの正面側Ａから背面側Ｂに向けて屈曲させて形成されるとともに、幅方向Ｘの先端部７ａが、奥行方向Ｚの正面側Ａに向けて突出するように形成される。押込治具７は、これに限らず、鋏状の治具が用いられてもよく、また、幅方向Ｘの先端部７ａが正面側Ａに突出させて形成されなくてもよい。
【００８６】
透光性遮音壁８０は、図１に示すように、道路からの飛び石等により、路面に近接した下段の透光板５の破損する確率が高い。従来のパネルにおいては、複数段のパネルが高さ方向Ｙに積まれて設置されているため、支柱８１から上段のパネルを全て引き抜いてから、パネルごと交換することが必要となる。これに対して、本発明を適用した透光性パネル８の枠構造１は、パネルごと交換することを必要としないで、また、ビスの取付取外作業も必要なく、破損した透光板５のみを容易に交換することが可能となる。
【００８７】
本発明を適用した透光性パネル８の枠構造１は、図７〜図１１に示すように、第１実施形態〜第４実施形態の何れにおいても、外側突出部６５と外側係止部４５とを互いに係止させるとともに、内側突出部６６と内側係止部４６とを互いに係止させるため、押縁６で固定するためのビスを用いることなく、押縁６を支持枠４に取り付けることができるものとなり、押縁６の組付作業時に、多数のビスの締込作業を必要としないものとして、透光性パネル８の製造効率を向上させることが可能となる。
【００８８】
また、本発明を適用した透光性パネル８の枠構造１は、図１４〜図１６に示すように、第１実施形態〜第４実施形態において、押縁６を支持枠４から容易に取り外すことができないものとすると同時に、特に、第１実施形態、第３実施形態及び第４実施形態においては、図１８〜図２０に示すように、押込治具７で人為的に内側フランジ６２を破壊等することにより、ビスの取外作業を必要とすることなく、押縁６を支持枠４から人為的な作業で容易に取り外すことができる。
【００８９】
第１実施形態においては、特に、図２２に示すように、透光板５に対する背面側Ｂからの風等の外力により、奥行方向Ｚの背面側Ｂから正面側Ａに向けた回転力Ｒが、押縁６に作用した場合であっても、内側突出部６６が第３突起４４ｃに奥行方向Ｚで係止されるため、押縁６の内側フランジ６２が、背面側Ｂからの外力により離脱することを防止することが可能となる。
【００９０】
第１実施形態〜第４実施形態の何れにおいても、図２２〜図２５に示すように、透光板５と内側フランジ６２とにシール材５２が接着されるため、透光板５に対する正面側Ａからの落下した積荷の衝突、風等の外力により、押縁６がシール材５２で背面側Ｂに引っ張られることで、奥行方向Ｚの正面側Ａから背面側Ｂに向けた回転力Ｒが、押縁６に作用するものとなる。
【００９１】
このとき、第１実施形態〜第３実施形態の何れにおいても、図２２〜図２４に示すように、正面側Ａから背面側Ｂに向けた回転力Ｒが、押縁６に作用した場合であっても、外側突出部６５が第１突起４４ａに奥行方向Ｚで係止されるため、押縁６の外側フランジ６１が、落下した積荷の衝突、風等の外力により離脱することを防止することが可能となる。
【００９２】
また、第４実施形態においても、図２５に示すように、押縁６がシール材５２で背面側Ｂに引っ張られて、正面側Ａから背面側Ｂに向けた回転力Ｒが、押縁６に作用した場合であっても、内側突出部６６の突出爪６６ａが第４突起４４ｄに食い込むことで、押縁６の内側フランジ６２が、落下した積荷の衝突、風等の外力により離脱することを防止することが可能となる。
【００９３】
第１実施形態〜第４実施形態の何れにおいても、図２２〜図２５に示すように、奥行方向Ｚの正面側Ａから背面側Ｂに向けた押圧力Ｐが、押縁６の外側フランジ６１に正面側Ａから作用した場合であっても、外側突出部６５が第２突起４４ｂに奥行方向Ｚで係止されるため、押縁６の外側フランジ６１が、施工、運搬時の衝撃力等に起因する押圧力Ｐにより離脱することを防止することが可能となる。
【００９４】
本発明を適用した透光性パネル８の枠構造１は、透光板５と内側フランジ６２とにシール材５２が接着されるため、万が一、内側突出部６６と内側係止部４６との係止が解除された場合であっても、押縁６が脱落しないものとなり、透光板５の外れを防止することが可能となる。
【００９５】
本発明を適用した透光性パネル８の枠構造１は、外側フランジ６１又は内側フランジ６２が、落下した積荷の衝突、風等の外力又は施工、運搬時の衝撃力等の押圧力Ｐにより容易に離脱しないものとしながら、枠溝部４０からの押込治具７等による人為的な作業によってのみ押縁６を取り外すことができるものとして、透光板５の交換容易性を向上させることができる。
【００９６】
本発明を適用した透光性パネル８の枠構造１は、特に、押縁６の内側フランジ６２で、内側突出部６６と内側係止部４６とが、テーパ面５５と係合面５６とで容易かつ正確に係止されて、支持枠４からの押縁６の脱落を防止して、透光性パネル８が境界に設置された高速道路等の通行の安全性を向上させると同時に、透光板５が部分的に破損した場合等には、透光板５の交換作業を容易に実施して、高速道路等の長時間の通行規制を回避することが可能となる。
【００９７】
本発明を適用した透光性パネル８の枠構造１は、押縁６の内側フランジ６２に傾斜部６２ａが形成されることで、押込治具７で内側フランジ６２を正面側Ａに押し込みやすくして、押込治具７で内側フランジ６２を容易に破壊等させることができるものとなり、枠溝部４０からの人為的な作業による透光板５の交換容易性を一段と向上させることが可能となる。
【００９８】
また、本発明を適用した透光性パネル８の枠構造１は、図１４〜図１６に示すように、第１実施形態〜第４実施形態の何れにおいても、突出爪６６ａと係止爪４６ａとが幅方向Ｘで互いに係止されて、押縁６が支持枠４に正確に取り付けられるものとなるため、押縁６を中途半端に取り付けることができないものとなり、押縁６の組付精度を向上させることが可能となる。
【００９９】
さらに、本発明を適用した透光性パネル８の枠構造１は、押縁６の内側フランジ６２が傾斜して弾性変形することで、突出爪６６ａと係止爪４６ａとが幅方向Ｘで互いに係止されるため、突出爪６６ａ及び係止爪４６ａの寸法誤差を吸収しながら、押縁６を支持枠４に正確に取り付けることが可能となる。
【０１００】
本発明を適用した透光性パネル８の枠構造１は、押縁６が支持枠４に正確に取り付けられるため、押縁６を中途半端に取り付けることができないものとなることで、高速道路等の道路や鉄道等軌道の境界に透光性パネル８を設置して、車両等が通行するときの振動、又は、落下した積荷の衝突、風等の外力が作用したとしても、支持枠４から押縁６が脱落しないものとなり、透光板５の外れを防止することが可能となる。
【０１０１】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【０１０２】
例えば、本発明を適用した透光性パネル８の枠構造１は、上横枠２及び下横枠３を支持枠４として、上横枠２及び下横枠３の何れか一方又は両方に、押縁６が取り付けられてもよい。
【符号の説明】
【０１０３】
１      ：枠構造
２      ：上横枠
３      ：下横枠
４      ：支持枠
４０    ：枠溝部
４１    ：左縦枠
４２    ：右縦枠
４３    ：背面側支承壁
４３ａ  ：溝
４４    ：係止構造
４４ａ  ：第１突起
４４ｂ  ：第２突起
４４ｃ  ：第３突起
４４ｄ  ：第４突起
４５    ：外側係止部
４５ａ  ：係止溝
４６    ：内側係止部
４６ａ  ：係止爪
５      ：透光板
５１    ：緩衝材
５２    ：シール材
５５    ：テーパ面
５６    ：係合面
６      ：押縁
６ａ    ：基端部
６ｂ    ：中間部
６ｃ    ：側端部
６０    ：開口部
６１    ：外側フランジ
６２    ：内側フランジ
６２ａ  ：傾斜部
６３    ：ウェブ
６４    ：ボックス部
６５    ：外側突出部
６５ａ  ：回転爪
６６    ：内側突出部
６６ａ  ：突出爪
７      ：押込治具
７ａ    ：先端部
８      ：透光性パネル
８０    ：支柱
８１    ：固定金具
８２    ：透光性遮音壁
Ａ      ：正面側
Ｂ      ：背面側
Ｘ      ：幅方向
Ｙ      ：高さ方向
Ｚ      ：奥行方向
【図１】
0006570857.tif 000002
【図２】
0006570857.tif 000003
【図３】
0006570857.tif 000004
【図４】
0006570857.tif 000005
【図５】
0006570857.tif 000006
【図６】
0006570857.tif 000007
【図７】
0006570857.tif 000008
【図８】
0006570857.tif 000009
【図９】
0006570857.tif 000010
【図１０】
0006570857.tif 000011
【図１１】
0006570857.tif 000012
【図１２】
0006570857.tif 000013
【図１３】
0006570857.tif 000014
【図１４】
0006570857.tif 000015
【図１５】
0006570857.tif 000016
【図１６】
0006570857.tif 000017
【図１７】
0006570857.tif 000018
【図１８】
0006570857.tif 000019
【図１９】
0006570857.tif 000020
【図２０】
0006570857.tif 000021
【図２１】
0006570857.tif 000022
【図２２】
0006570857.tif 000023
【図２３】
0006570857.tif 000024
【図２４】
0006570857.tif 000025
【図２５】
0006570857.tif 000026